(57)【特許請求の範囲】
【請求項１】
無端帯状のゴム製の弾性体よりなるクローラ本体と、このクローラ本体の内周面から突設されたクローラ周方向に所定間隔おきに並ぶ、当該クローラ本体よりも高硬度のゴム製の複数の駆動突起と、クローラ周方向に沿って前記クローラ本体の内部に埋設された抗張体とを備えている芯金レスの弾性クローラにおいて、
前記駆動突起の各基端縁が前記クローラ本体の内部に位置しかつ前記クローラ本体の内周面に露出しないように、当該駆動突起が前記クローラ本体に部分的に埋設され、
前記駆動突起の基部に、前記クローラ本体の内部においてクローラ幅方向に張り出す第１のアンカー片部が一体に突設され、
前記第１のアンカー片部は、前記クローラ本体の内周面に露出しないように、その全体がクローラ本体内に埋設されている弾性クローラ。
【請求項２】
無端帯状のゴム製の弾性体よりなるクローラ本体と、このクローラ本体の内周面から突設されたクローラ周方向に所定間隔おきに並ぶ、当該クローラ本体よりも高硬度のゴム製の複数の駆動突起と、クローラ周方向に沿って前記クローラ本体の内部に埋設された抗張体とを備えている芯金レスの弾性クローラにおいて、
前記駆動突起の各基端縁が前記クローラ本体の内部に位置しかつ前記クローラ本体の内周面に露出しないように、当該駆動突起が前記クローラ本体に部分的に埋設され、
前記駆動突起の基部に、前記クローラ本体の内部においてクローラ周方向に張り出す第２のアンカー片部が一体に突設され、
前記第２のアンカー片部は、前記クローラ本体の内周面に露出しないように、その全体がクローラ本体内に埋設されている弾性クローラ。
【請求項３】
無端帯状のゴム製の弾性体よりなるクローラ本体と、このクローラ本体の内周面から突設されたクローラ周方向に所定間隔おきに並ぶ、当該クローラ本体よりも高硬度のゴム製の複数の駆動突起と、クローラ周方向に沿って前記クローラ本体の内部に埋設された抗張体とを備えている芯金レスの弾性クローラにおいて、
前記駆動突起の各基端縁が前記クローラ本体の内部に位置しかつ前記クローラ本体の内周面に露出しないように、当該駆動突起が前記クローラ本体に部分的に埋設され、
前記駆動突起の基部に、前記クローラ本体の内部においてクローラ幅方向に張り出す第１のアンカー片部と、同クローラ周方向に張り出す第２のアンカー片部とが一体に突設され、
前記第１及び第２のアンカー片部は、前記クローラ本体の内周面に露出しないように、その全体がクローラ本体内に埋設されている弾性クローラ。
【請求項４】
前記第１のアンカー片部が、当該弾性クローラの内周面を転動する転輪の外周側に前記クローラ本体のゴム層を介して配置される、請求項１または３に記載の弾性クローラ。
【請求項５】
次の工程（ａ）〜（ｃ）を含む請求項１〜４のいずれか１項に記載の弾性クローラの製造方法。
（ａ）未加硫の内側ゴム層にクローラ周方向に所定間隔おきに並べて形成されるとともに、前記駆動突起の未加硫ゴム体の基部を通過させ、かつ前記アンカー片部を通過できない大きさの複数の貫通孔に、前記未加硫ゴム体を、クローラ外面側から内面側に向かって挿通し、前記アンカー片部を前記内側ゴム層に係合させて抜け止めする工程
（ｂ）前記内側ゴム層のクローラ外面側と未加硫の外側ゴム層のクローラ内面側との間に未加硫の抗張体層を挟んだ状態で、この各層を積層する工程
（ｃ）積層後の前記各層を一対のモールドで加硫成形する工程
【発明の詳細な説明】
【技術分野】
【０００１】
本発明は、各種のクローラ式走行装置に使用可能な芯金レスの弾性クローラに関する。より具体的には、当該弾性クローラの駆動突起の改良に関する。
【背景技術】
【０００２】
農業機械や建設機械等の走行部に採用されるクローラ式走行装置は、駆動スプロケット、アイドラ及び複数の転輪にわたって無端帯状の弾性クローラを巻き掛けることによって構成されている（例えば、特許文献１参照）。
上記弾性クローラとしていわゆる芯金レスのものがあり、この弾性クローラは、クローラ周方向に所定間隔おきに並ぶ駆動突起を内周面に有する無端帯状のゴム製のクローラ本体と、この内部に埋設されたクローラ周方向に沿って延びる抗張体とを備えている。
【０００３】
かかる芯金レスの弾性クローラでは、動力伝達のために駆動スプロケットが駆動突起に順次係合し、クローラ幅方向の横ずれ防止のために駆動突起がアイドラ及び転輪にガイドされるので、駆動突起にはクローラ周方向及び幅方向の剪断力が常に作用する。
従って、芯金レスの弾性クローラでは、常時作用する剪断力に対して所望の耐久性が得られるように、駆動突起のゴム材料をクローラ本体よりも高硬度のものを採用することがある（例えば、特許文献２参照）。
【先行技術文献】
【特許文献】
【０００４】
【特許文献１】特許第３４８３６７８号公報
【特許文献２】特開２００７−２２３０４号公報
【発明の開示】
【発明が解決しようとする課題】
【０００５】
図６は、上記従来例に係る芯金レスの弾性クローラの一例を示す横断面図である。この図６に示すように、高硬度ゴムよりなる駆動突起２は成形時の加硫反応を通じてクローラ本体３の内周面３Ａに接着されている。
しかし、従来の弾性クローラでは、駆動突起２の基端縁２Ａがクローラ本体３の内周面３Ａに露出しており、その基端縁２Ａがクローラ本体３との接着ラインになるので、駆動突起２に作用するクローラ周方向及び幅方向の剪断力により、当該基端縁２Ａからクラックが発生し易い断面構造になっている。
【０００６】
特に、クローラ本体３よりもゴム硬度が大きい駆動突起２を採用する場合には、剪断力に伴う局部的な変形が基端縁２Ａの付近に生じるため、当該基端縁２Ａからのクラックが発生し易い。
このため、いったん発生したクラックが成長すると、ついには駆動突起２がクローラ本体３から脱落して、弾性クローラ１がクローラ式走行装置から外れることがあり、弾性クローラ１としての耐久性に問題があった。
【０００７】
本発明は、上記従来の問題点に鑑み、駆動突起の基端縁からのクラックの発生を有効に防止できるようにして、芯金レスの弾性クローラの耐久性を向上することを目的とする。
【課題を解決するための手段】
【０００８】
本発明の弾性クローラは、
無端帯状のゴム製の弾性体よりなるクローラ本体と、このクローラ本体の内周面から突設されたクローラ周方向に所定間隔おきに並ぶ、当該クローラ本体よりも高硬度のゴム製の複数の駆動突起と、クローラ周方向に沿って前記クローラ本体の内部に埋設された抗張体とを備えている芯金レスの弾性クローラにおいて、前記駆動突起の各基端縁が前記クローラ本体の内部に位置しかつ前記クローラ本体の内周面に露出しないように、当該駆動突起が前記クローラ本体に部分的に埋設され、前記駆動突起の基部に、前記クローラ本体の内部においてクローラ幅方向に張り出す第１のアンカー片部が一体に突設され、前記第１のアンカー片部は、前記クローラ本体の内周面に露出しないように、その全体がクローラ本体内に埋設されていることを特徴とする。
【０００９】
本発明の弾性クローラによれば、駆動突起の各基端縁がクローラ本体の内部に位置するように、当該駆動突起がクローラ本体に部分的に埋設されているので、駆動突起の各基端縁がクローラ本体の内周面に露出しない。
このため、駆動突起が駆動スプロケット、アイドラ及び転輪からクローラ周方向及び幅方向の剪断力を受けても、駆動突起の各基端縁からクラックが発生し難くなる。また、埋設高さ分だけクローラ本体に対する接着力が増大するので、駆動突起をより強固にクローラ本体に固定することができる。
【００１０】
また、本発明の弾性クローラにおいて、前記駆動突起の基部に、前記クローラ本体の内部においてクローラ幅方向に張り出す第１のアンカー片部を一体に突設している。この第１のアンカー片部はクローラ幅方向におけるアンカー効果を発揮するとともに、クローラ幅方向の接着面積を増大させるので、クローラ幅方向における駆動突起の基部の固着力が向上する。従って、アイドラや転輪から受けるクローラ幅方向の剪断力に対して高い耐久性を有する弾性クローラを製作することができる。
【００１１】
また、本発明の弾性クローラは、無端帯状のゴム製の弾性体よりなるクローラ本体と、このクローラ本体の内周面から突設されたクローラ周方向に所定間隔おきに並ぶ、当該クローラ本体よりも高硬度のゴム製の複数の駆動突起と、クローラ周方向に沿って前記クローラ本体の内部に埋設された抗張体とを備えている芯金レスの弾性クローラにおいて、
前記駆動突起の各基端縁が前記クローラ本体の内部に位置しかつ前記クローラ本体の内周面に露出しないように、当該駆動突起が前記クローラ本体に部分的に埋設され、前記駆動突起の基部に、前記クローラ本体の内部においてクローラ周方向に張り出す第２のアンカー片部が一体に突設され、前記第２のアンカー片部は、前記クローラ本体の内周面に露出しないように、その全体がクローラ本体内に埋設されていることを特徴としている。
この場合、第２のアンカー片部がクローラ周方向におけるアンカー効果を発揮するとともに、クローラ周方向の接着面積を増大させるので、クローラ周方向における駆動突起の基部の固着力が向上する。従って、駆動スプロケットから受けるクローラ周方向の剪断力に対して高い耐久性を有する弾性クローラを製作することができる。
さらに、本発明は、無端帯状のゴム製の弾性体よりなるクローラ本体と、このクローラ本体の内周面から突設されたクローラ周方向に所定間隔おきに並ぶ、当該クローラ本体よりも高硬度のゴム製の複数の駆動突起と、クローラ周方向に沿って前記クローラ本体の内部に埋設された抗張体とを備えている芯金レスの弾性クローラにおいて、前記駆動突起の各基端縁が前記クローラ本体の内部に位置しかつ前記クローラ本体の内周面に露出しないように、当該駆動突起が前記クローラ本体に部分的に埋設され、前記駆動突起の基部に、前記クローラ本体の内部においてクローラ幅方向に張り出す第１のアンカー片部と、同クローラ周方向に張り出す第２のアンカー片部とが一体に突設され、前記第１及び第２のアンカー片部は、前記クローラ本体の内周面に露出しないように、その全体がクローラ本体内に埋設されていることを特徴としている。
また、前記第１のアンカー片部は、当該弾性クローラの内周面を転動する転輪の外周側に前記クローラ本体のゴム層を介して配置されることが好ましい。
【００１２】
本発明方法は、上記弾性クローラの製造方法であって、次の工程（ａ）〜（ｃ）を含むものである。
（ａ）未加硫の内側ゴム層にクローラ周方向に所定間隔おきに並べて形成されるとともに、前記駆動突起の未加硫ゴム体の基部を通過させ、かつ前記アンカー片部を通過できない大きさの複数の貫通孔に、前記未加硫ゴム体を、クローラ外面側から内面側に向かって挿通し、前記アンカー片部を前記内側ゴム層に係合させて抜け止めする工程
（ｂ）前記内側ゴム層のクローラ外面側と未加硫の外側ゴム層のクローラ内面側との間に未加硫の抗張体層を挟んだ状態で、この各層を積層する工程
（ｃ）積層後の前記各層を一対のモールドで加硫成形する工程
【００１３】
本発明方法によれば、上記工程（ａ）において、未加硫の内側ゴム層に形成された各貫通孔に、駆動突起の未加硫ゴム体がクローラ外面側から内面側に向かって挿通して抜け止めされ、上記工程（ｂ）において、内側ゴム層のクローラ外面側と未加硫の外側ゴム層のクローラ内面側との間に未加硫の抗張体層を挟んだ状態で、この各層が積層される。
このため、駆動突起の未加硫ゴム体の底面が、内側ゴム層を介在しないで抗張体層に当接した状態でセットされる。
【００１４】
従って、加硫成形後に高硬度ゴムとなる駆動突起の底面が、クローラ本体内の抗張体に近接して、その抗張体にほぼ直結した状態となるので、クローラ周方向の剪断力に対する駆動突起の基部の剛性が高められ、耐久性に優れた弾性クローラが得られる。
また、加硫成形後にクローラ本体と一体化するアンカー片部が、アンカー効果と接着面積の増大効果を発揮するので、クローラ幅方向やクローラ周方向における駆動突起の基部の固着力を向上させることができる。
【発明の効果】
【００１７】
以上の通り、本発明によれば、駆動突起の基端縁からのクラックの発生を有効に防止できるので、芯金レスの弾性クローラの耐久性を向上させることができる。
【図面の簡単な説明】
【００１８】
【図１】本発明の実施形態に係る芯金レスの弾性クローラの横断面図である。
【図２】弾性クローラの素材となる駆動突起の未加硫ゴム体の斜視図である。
【図３】弾性クローラが装着されたクローラ式走行装置の側面図である。
【図４】（ａ）は、未加硫の各素材の分解状態を示す側面断面図であり、（ｂ）は、その各素材をモールドに充填する状態を示す側面断面図である。
【図５】内側ゴム層に対する未加硫ゴム体の装着方法を示す斜視図である。
【図６】従来例に係る芯金レス弾性クローラの一例を示す横断面図である。
【発明を実施するための形態】
【００１９】
以下、図面を参照しつつ、本発明の実施形態を説明する。
図１は、本発明の実施形態に係る弾性クローラ１を示しており、図２は、弾性クローラ１の素材となる駆動突起２の未加硫ゴム体１２の斜視図である。また、図３は、本実施形態の弾性クローラ１が装着されたクローラ式走行装置１００を示している。
【００２０】
〔クローラ式走行装置〕
図３に示すように、クローラ式走行装置１００は、駆動スプロケット１０１と、アイドラ１０２と、駆動スプロケット１０１とアイドラ１０２の間に配列された複数の転輪１０３と備えており、これらで構成される車輪群に、本実施形態の弾性クローラ１を巻き掛けることによって構成されている。
クローラ式走行装置１００の駆動スプロケット１０１には、回転駆動される一対の円板が左右方向対向状に配置されているとともに、この円板間の外周側に左右方向の駆動ピン１０４が円周方向に間隔をおいて設けられている。
【００２１】
弾性クローラ１は、上記駆動ピン１０４を駆動突起２にそれぞれ係合させた状態で装着されており、この駆動ピン１０４から受ける力で周方向に沿って駆動される。
クローラ式走行装置１００の転輪１０３やアイドラ１０２は、左右一対の円形車輪部を有しており（図１の仮想線参照）、駆動突起２を跨いで通過する跨ぎタイプである。このため、クローラ本体３の内周面における駆動突起２の左右両側は、転輪１０３やアイドラ１０２の転動面となっている。
【００２２】
駆動突起２は、転輪１０３やアイドラ１０２の円形車輪部間でクローラ周方向にガイドされ、これにより、弾性クローラ１がクローラ幅方向の位置ずれを規制されながらクローラ周方向に駆動される。
このため、弾性クローラ１がクローラ周方向に駆動されている場合には、各駆動突起２が転輪１０３やアイドラ１０２の円形車輪部の内側側面に衝突し、この際、その円形車輪部からクローラ幅方向の剪断力が駆動突起２に作用する。
【００２３】
〔弾性クローラの基本構成〕
図１に示すように、本実施形態の弾性クローラ１は、いわゆる芯金レスタイプのものであり、クローラ周方向に所定間隔おきに並ぶ複数の駆動突起２が内周面から一体に突設された無端帯状のクローラ本体３と、このクローラ本体３の外周面に所定のラグパターンで形成された複数のラグ４と、クローラ本体３の内部でクローラ周方向に沿って埋設された抗張体５とを備えている。なお、駆動突起２は、クローラ本体３の幅方向中央部に配置されている。
【００２４】
クローラ本体３は、ほぼ一定厚さの無端帯状に形成されたゴム製の弾性体よりなり、抗張体５よりクローラ内面側（図１の上側）の上半部分と、クローラ外面側（図１の下側）の下半部分とでゴム硬度（デュロメーター：タイプＡ）が相違する。
例えば、クローラ内面側の上半部分のゴム硬度は５５〜９５度に設定され、クローラ外面側の下半部分のゴム硬度は５５〜７５度に設定される。
【００２５】
クローラ本体３の内周面から突出する各駆動突起２は、クローラ本体３よりも高硬度のゴム製の弾性体よりなり、例えば、ゴム硬度が８０〜９５度に設定される。なお、駆動突起２には剛性強化のための短繊維が配合されていてもよい。
抗張体５は、クローラ周方向に沿って延びるスチールコード等からなる、多数の抗張力コードをクローラ幅方向に配列することにより構成されており、これらのコードの周囲は、加硫成形前に未加硫ゴムで固められている。
【００２６】
本実施形態の抗張体５としては、有端の１本の抗張力コードをクローラ周方向に１周巻回したものを、クローラ幅方向に並列状として多数本配置することにより構成されたコードラップ方式の構造のものを採用することができる。また、抗張体５は、１本の抗張力コードを螺旋状に巻回することにより構成された継ぎ目のないスパイラル構造のものを採用してもよい。
なお、抗張力コードとしては、例えば、鋼製フィラメントを数本撚ったものを、更に数束撚り合わせたスチールコードやナイロンコード等が採用される。
【００２７】
〔駆動突起の埋設構造〕
図１に示すように、本実施形態の弾性クローラ１では、駆動突起２のクローラ幅方向左右の基端縁２Ａと、クローラ周方向前後の基端縁２Ｂのすべてがクローラ本体３の内部に位置するように、駆動突起２の基部がクローラ本体３に部分的に埋設されており、駆動突起２の基端縁２Ａ，２Ｂがクローラ本体３の内周面３Ａに露出しない断面構造となっている。
【００２８】
従って、駆動突起２が駆動スプロケット１０１からクローラ周方向の剪断力を受けたり、アイドラ１０２及び転輪１０３からクローラ幅方向の剪断力を受けたりしても、駆動突起２の基端縁２Ａ，２Ｂからクラックが発生しないか或いは極めて発生し難いものとなっている。
また、この場合、クローラ本体３に対する埋設高さｈの分だけ、クローラ本体３に対する接着面積が増大するので、図６に示す従来の弾性クローラ１に比べて、駆動突起２をより強固にクローラ本体３に固定できるという効果もある。
【００２９】
駆動突起２の基部には、クローラ本体３の内部においてクローラ幅方向に張り出す第１アンカー片部７が一体に突設されている。
図２（ａ）に示すように、第１アンカー片部７は、駆動突起２の左右両側面の基端縁２Ａからクローラ幅方向外側に突出する、ほぼ長方形状の板片よりなる。この第１アンカー片部７は、加硫成形後のクローラ本体３の内部において、クローラ幅方向のアンカー効果を発揮し、クローラ幅方向での接着面積を増大させる。
従って、第１アンカー片部７を設けない場合に比べて、クローラ幅方向における駆動突起２の基部の固着力が向上し、アイドラ１０２や転輪１０３から受けるクローラ幅方向の剪断力に対して高い耐久性を有する弾性クローラ１が得られる。
【００３０】
また、図２（ｂ）に示すように、駆動突起２の基部に、クローラ本体２の内部においてクローラ周方向に張り出す第２アンカー片部８を一体に突設することにしてもよい。この第２アンカー片部８は、加硫成形後のクローラ本体３の内部において、クローラ周方向におけるアンカー効果を発揮し、クローラ周方向での接着面積を増大させる。
従って、第２アンカー片部８を設けない場合に比べて、クローラ周方向における駆動突起２の基部の固着力がより向上し、駆動スプロケット１０１から受けるクローラ周方向の剪断力に対して高い耐久性を有する弾性クローラ１が得られる。
【００３１】
〔弾性クローラの製造方法〕
図４及び図５は、本実施形態に係る弾性クローラ１の製造方法を示している。このうち、図４（ａ）は、未加硫の各素材１１〜１４の分解状態を示す側面断面図であり、図４（ｂ）は、その各素材１１〜１４をモールドに充填する状態を示す側面断面図である。また、図５は、内側ゴム層１１に対する未加硫ゴム体１２の装着方法を示す斜視図である。
なお、図４及び図５において、上側がクローラ外面側（図１の下側：接地側）であり、下側がクローラ内面側（図１の下側：非接地側）となっている。
【００３２】
図４（ａ）に示すように、加硫成形前の弾性クローラ１の構成要素となる素材には、未加硫の内側ゴム層１１と、駆動突起２の未加硫ゴム体１２と、抗張体５を未加硫ゴムで固めた抗張体層１３と、未加硫の外側ゴム層１４とが含まれる。
図５に示すように、内側ゴム層１１は、クローラ外面側（図５の上面側）の面の帯幅方向中央部に、クローラ周方向に延びる比較的浅い凹溝部１６を有する。また、内側ゴム層１１には、クローラ周方向に所定間隔おきに並ぶ矩形状の貫通孔１７が形成されている。
【００３３】
この貫通孔１７は、未加硫ゴム体１２の本体部分における基部の平面断面とほぼ同じ形状及び寸法である。従って、未加硫ゴム体１２の基部は貫通孔１７を通過できるが、基部から突出するアンカー片部７，８は貫通孔１７を通過することができない。
また、内側ゴム層１１の凹溝部１６は、アンカー片部７，８の板厚とほぼ同じ溝深さに形成され、かつ、第１アンカー片部７を含む未加硫ゴム体１２の最大幅とほぼ同じ寸法の溝幅を有する。
【００３４】
このため、図５に示すように、駆動突起２の未加硫ゴム体１２の先端部を貫通孔１７に対して上から落とし込むと、駆動突起２の本体部分が貫通孔１７を通ってクローラ内面側（図５の下側）から突出し、駆動突起２が下方に落下しないように抜け止めされる。
また、この際、アンカー片部７，８が凹溝部１６に嵌合し、未加硫ゴム体１２の底面１２Ｃと内側ゴム層１１の上面が面一になる。
【００３５】
弾性クローラ１を加硫成形するには、図４（ａ）に示すように、まず、未加硫の内側ゴム層１１の各貫通孔１７に、駆動突起２の未加硫ゴム体１２を、クローラ外面側から内面側に向かって挿通して内側ゴム層１１に装着し、この内側ゴム層１１を下モールド１８のキャビティに搬入する。
下モールド１８には、未加硫ゴム体１２の成形凹部２０が形成されており、この成形凹部２０のクローラ周方向のピッチは貫通孔１７の同方向ピッチとほぼ同じである。
【００３６】
このため、未加硫ゴム体１２が装着された内側ゴム層１１を下モールド１８のキャビティに搬入すると、各未加硫ゴム体１２の本体部分を対応する成形凹部２０にそれぞれ嵌め込むことができる。
なお、貫通孔１７を成形凹部２０に合致させるようにして、内側ゴム層１１を先に下モールド１８のキャビティに搬入してから、貫通孔１７に未加硫ゴム体１２を差し込むことにより、未加硫ゴム体１２を内側ゴム層１１に装着することもできる。
【００３７】
次に、内側ゴム層１１の上面（クローラ外面側の面）に未加硫の抗張体層１３を載せるとともに、その抗張体層１３の上面に更に外側ゴム層１４を載せる。これにより、内側ゴム層１１のクローラ外面側（上面側）と外側ゴム層１４のクローラ内面側（下面側）との間に抗張体層１３が挟まれた状態で、各層１１，１３，１４が三層に積層される。
その後は、下モールド１８に対応する上モールド１９を接合させて、所定圧で加圧しつつ所定温度で金型を加熱することにより、モールド１８，１９内の各層１１，１３，１４を加硫成形すればよい。
【００３８】
このように、本実施形態の弾性クローラ１の製造方法によれば、未加硫の内側ゴム層１１に形成された各貫通孔１７に、駆動突起２の未加硫ゴム体１２がクローラ外面側から内面側に向かって挿通されて抜け止めされ、未加硫ゴム体１２が装着された内側ゴム層１１のクローラ外面側と、未加硫の外側ゴム層１４のクローラ内面側との間に未加硫の抗張体層１３を挟んだ状態で各層１１，１３，１４が積層される。
このため、駆動突起２の未加硫ゴム体１２の底面１２Ｃ（図４及び図５参照）は、内側ゴム層１１を介在せずに抗張体層１３に直接当接した状態でセットされる。
【００３９】
従って、加硫成形後において、高硬度ゴムよりなる駆動突起２の底面２Ｃ（図１参照）が、クローラ本体内の抗張体５に近接し、当該抗張体５にほぼ直結した状態となる。このため、クローラ周方向の剪断力に対する駆動突起２の基部の剛性が高められ、耐久性に優れた弾性クローラ１が得られる。
また、未加硫ゴム体１２は、アンカー片部７，８によって基部が貫通孔１７を通過できないようになっているので、未加硫ゴム体１２の先端部を貫通孔１７に上から落とし込むだけで、未加硫ゴム体１２を内側ゴム層１１に位置決めすることができ、内側ゴム層１１への未加硫ゴム体１２の装着を容易に行える。
【００４０】
更に、本実施形態の製造方法では、未加硫ゴム体１２が、クローラ幅方向又はクローラ周方向若しくはこれら双方向に張り出す、貫通孔１７を通過できない大きさのアンカー片部７，８を一体に有するので、加硫成形後において、アンカー片部７，８によるアンカー効果や接着面積を増大効果が得られ、クローラ幅方向等における駆動突起２の基部の固着力を向上できるという利点もある。
【００４１】
〔その他の変形例〕
なお、今回開示した実施形態は本発明の例示であって制限的なものではない。本発明の範囲は、上記実施形態ではなく特許請求の範囲によって示され、特許請求の範囲及びその構成と均等な範囲でのすべての変更が含まれる。
例えば、駆動突起２は、加硫成形後にクローラ本体３に対する所望の固着力が得られる限りにおいて、アンカー片部７，８を備えていなくてもよい。
【符号の説明】
【００４２】
１      弾性クローラ
２      駆動突起
２Ａ    基端縁
２Ｂ    基端縁
２Ｃ    底面
３      クローラ本体
３Ａ    内周面
４      ラグ
５      抗張体
７      第１のアンカー片部
８      第２のアンカー片部
１１      内側ゴム層
１２      未加硫ゴム体
１３      抗張体層
１４      外側ゴム層
１７      貫通孔
１８      下モールド
１９      上モールド
【図１】
0005841711.tif 000002
【図２】
0005841711.tif 000003
【図３】
0005841711.tif 000004
【図４】
0005841711.tif 000005
【図５】
0005841711.tif 000006
【図６】
0005841711.tif 000007